(57)【要約】【課題】  部品点数を低減するとともに、予め定める部品の位置合わせを簡単化することができる記録再生装置を提供する。【解決手段】  磁気ヘッドブロック３３を、ピックアップブロック３２のシャフト部材３４の軸線Ｌ３４まわりに角変位可能に設けることによって、磁気ヘッドブロック３３とピックアップブロック３２との位置関係を一定に保持したうえで、磁気ヘッドブロック３３自体を記録媒体３１に対して角変位可能に構成する。【選択図】      図１
2005056530.tif 000002
【特許請求の範囲】
【請求項１】
記録媒体に、光を照射することによって情報を再生または記録する記録再生装置であって、
記録媒体に光を照射可能なピックアップ手段であって、記録媒体に対して予め定める軸線の方向に相対的に変位するピックアップ手段と、
前記ピックアップ手段と協働して情報を記録する磁気ヘッド体であって、ピックアップ手段に前記軸線まわりに角変位可能に設けられる磁気ヘッド体とを有することを特徴とする記録再生装置。
【請求項２】
前記磁気ヘッド体は、この磁気ヘッドをピックアップ手段に角変位可能に支持する一対の支持部を含み、
これら支持部は軸線方向に離隔して配設されることを特徴とする請求項１記載の記録再生装置。
【請求項３】
前記磁気ヘッド体は、ピックアップ手段に一対の支持部を介して着脱可能に構成されることを特徴とする請求項２記載の記録再生装置。
【発明の詳細な説明】
【技術分野】
【０００１】
本発明は、記録媒体に、光を照射することによって情報を再生または記録する記録再生装置に関する。
【背景技術】
【０００２】
図９は、従来の記録再生装置１を示す斜視図である。図１０は、光ピックアップ手段２と磁気ヘッド体３とを示す分解斜視図である。図１１は、磁気ヘッド体３を示す分解斜視図である。従来の記録再生装置１は、ピックアップ手段２と磁気ヘッド体３と昇降レバー５とシャフト部材６とを含む。シャフト部材６には、ピックアップ手段２がシャフト部材６の軸線Ｌ６に平行な第１方向Ａに沿って変位可能に設けられる。磁気ヘッド体３は、磁気ヘッド３ａと保持部材４とを有する。磁気ヘッド３ａは、記録媒体８に関してピックアップ手段２と反対側に配置され、ビスを用いて保持部材４に固定される。磁気ヘッド３ａは、磁界発生部１０と、この磁界発生部１０を記録媒体８に向けて付勢した状態で保持する板ばね１１とを有する。ピックアップ手段２の長手方向一端部の台座１３には、ビス１２を介して保持部材４が固着される。
【０００３】
図１２は、記録媒体８が装着された記録再生装置１を、第１方向Ａに見た図である。図１３は、情報を再生するときの記録再生装置１を第１方向Ａに見た図である。図１４は、情報を記録するときの記録再生装置１を第１方向Ａに見た図である。保持部材４には、磁界発生部１０を記録媒体８に近接および離反するための昇降レバー５が設けられる。昇降レバー５は、保持部材４に付設される突出部１４によって第１方向Ａに平行な軸線Ｌ１４まわりに角変位可能に保持される。したがって昇降レバー５の一端部および磁界発生部１０は、保持部材４に保持される状態で記録媒体８に近接および離反する（非特許文献１参照）。
【０００４】
【非特許文献１】“製品紹介”、［online］、ミツミ電機株式会社、［平成１５年７月３１日検索］、インターネット＜ＵＲＬ：http://www.mitsumi.co.jp/Catalog/＞
【発明の開示】
【発明が解決しようとする課題】
【０００５】
従来の記録再生装置１では、磁気ヘッド体３およびその周辺部分の部品点数が多いため、対物レンズ９と磁界発生部１０との位置合わせが困難である。つまり前記記録再生装置１においては、シャフト部材６に沿って変位可能に支持されたピックアップ手段２の台座１３に、ビス１２を介して保持部材４を固着する。この保持部材４に磁気ヘッド３ａを固着したうえで、さらに昇降レバー５を組み込む必要がある。
【０００６】
これらの部品にはそれぞれ製作上の部品公差があるので、全ての部品公差を合算したうえで、対物レンズ９と磁界発生部１０との位置合わせを行う必要がある。それ故、前記位置合わせが困難となるうえ、部品点数が多くなる分装置全体の製作コストが高くつく。なおこのように部品点数が多くなると、装置全体の小型化を図ることも難しい。
【０００７】
全ての部品公差を合算した公差を組み上げ公差という場合がある。この組み上げ公差を吸収するすなわち相殺すべく別部材をさらに追加するものもあるが、部品点数がさらに増える分、その構造が複雑化するだけでなく、装置全体の製作コストがさらに高くなる。
【０００８】
本発明の目的は、部品点数を低減するとともに、予め定める部品の位置合わせを簡単化することができる記録再生装置を提供することである。
【課題を解決するための手段】
【０００９】
本発明は、記録媒体に、光を照射することによって情報を再生または記録する記録再生装置であって、
記録媒体に光を照射可能なピックアップ手段であって、記録媒体に対して予め定める軸線の方向に相対的に変位するピックアップ手段と、
前記ピックアップ手段と協働して情報を記録する磁気ヘッド体であって、ピックアップ手段に前記軸線まわりに角変位可能に設けられる磁気ヘッド体とを有することを特徴とする記録再生装置である。
【００１０】
また本発明は、前記磁気ヘッド体は、この磁気ヘッドをピックアップ手段に角変位可能に支持する一対の支持部を含み、
これら支持部は軸線方向に離隔して配設されることを特徴とする。
【００１１】
また本発明は、前記磁気ヘッド体は、ピックアップ手段に一対の支持部を介して着脱可能に構成されることを特徴とする。
【発明の効果】
【００１２】
本発明によれば、ピックアップ手段は、記録媒体に対して予め定める軸線の方向に相対的に変位される。磁気ヘッド体は、ピックアップ手段に前記軸線まわりに角変位可能に設けられる。ピックアップ手段を前記軸線の方向に変位する構成にしたうえで、特に磁気ヘッド体を、ピックアップ手段に前記軸線まわりに角変位可能に設けたので、磁気ヘッド体とピックアップ手段との前記軸線の方向における位置関係を簡単にかつ一定に保持することが可能となるうえ、磁気ヘッド体自体を記録媒体に対して角変位可能に構成することができる。したがって磁気ヘッド体を角変位させるための部品と、磁気ヘッド体をピックアップ手段に固定するための部品とを別途に設ける必要がなくなる。よって本発明に従えば、従来の記録再生装置よりも、装置全体の部品点数を低減することができる。
【００１３】
しかも従来のように磁気ヘッド体をピックアップ手段に固定するための複数の部品の製作上の部品公差を合算したうえで、磁気ヘッド体とピックアップ手段との位置合わせを行う必要がなくなる。換言すれば、複数の部品の製作上の部品公差に影響されることなく、磁気ヘッド体とピックアップ手段との位置合わせを行うことが可能となる。したがって部品点数の低減を図ることができるとともに、前記位置合わせを簡単化することができる。さらに部品点数の低減によって、装置全体の製作コストの低減を図ることができる。部品点数の低減を図ることができるので、装置全体の小形化を図ることも可能となる。
【００１４】
また本発明によれば、前記磁気ヘッド体は、この磁気ヘッドをピックアップ手段に角変位可能に支持する一対の支持部を含む。これら支持部は軸線方向に離隔して配設される。特に支持部が軸線方向に離隔して配設されるので、ピックアップ手段に対して磁気ヘッド体をずれることなく配設することが可能となる。たとえば離隔される一対の支持部でもってピックアップ手段の一部を挟持するように、磁気ヘッド体をピックアップ手段に配設することが可能となる。
【００１５】
また本発明によれば、前記磁気ヘッド体は、ピックアップ手段に一対の支持部を介して着脱可能に構成される。これによって利便性の高い記録再生装置を実現することができる。たとえば磁気ヘッド体をピックアップ手段から離脱することによって、記録再生装置を情報の再生を専用に行うことのできる装置として用いることができる。このように記録再生装置の兼用性を高めることが可能となる。
【発明を実施するための最良の形態】
【００１６】
図１は、本発明の実施の一形態である記録再生装置３０の一部を示す斜視図である。図２は、記録再生装置３０の一部を記録媒体３１の厚み方向に見て示す平面図である。記録再生装置３０は、記録媒体３１（図２参照）に、光を照射することによって情報を記録または再生する装置である。記録媒体３１は、情報を記録または再生するためのディスク担体３１ａと、ディスク担体３１ａを収容するハウジングとして機能するカートリッジ３１ｂとを含んで構成される。記録媒体３１には、たとえばミニディスク（Mini Disk；略称ＭＤ）およびマグネットオプティカル（Magneto Optical；略称ＭＯ）などがある。記録再生装置３０はピックアップブロック３２と磁気ヘッドブロック３３とを有する。
【００１７】
本実施の形態では、記録再生装置３０は、図示外のカートリッジ保持体、カートリッジ搬送手段、ディスク回転手段、回路パーツおよびシャフト部材３４、これらが設けられる基台３５ならびに記録再生装置３０の各部品を収容しかつ外装として機能するハウジングをさらに有する。
【００１８】
前記カートリッジ保持体は、記録媒体３１を着脱可能に保持する機能を有する。基台３５には、このカートリッジ保持体が装填位置と退避位置とにわたって変位可能に設けられる。つまり装填位置は記録媒体３１を基台３５に装着する位置であり、退避位置は記録媒体３１を基台３５から退避させかつカートリッジ保持体から離脱可能な位置である。これらカートリッジ保持体と基台３５との間には、後述するピックアップブロック３２が介在される。
【００１９】
カートリッジ搬送手段は、カートリッジ保持体に設けられる。カートリッジ搬送手段は、カートリッジ保持体が退避位置にあるとき記録媒体の一部をカートリッジ保持体から突出させ、記録媒体３１をカートリッジ保持体から離脱可能な位置に配置する。ディスク回転手段は、装填位置に配置された記録媒体３１をその軸線まわりに回転駆動可能に構成される。回路パーツは、たとえばピックアップブロック３２、磁気ヘッド体である磁気ヘッドブロック３３、カートリッジ搬送手段およびディスク回転手段などの記録再生装置３０の各手段の動作を制御する。
【００２０】
基台３５にはシャフト部材３４が設けられる。シャフト部材３４は、予め定める一方向である第１方向Ｘに平行な軸線方向向きに配設される。前記軸線方向は軸線の方向と同義である。第１方向Ｘは、具体的には記録再生装置３０に装着される記録媒体３１の情報記録面を走査する方向であり、換言すると記録媒体３１の半径方向である。
【００２１】
ピックアップブロック３２および磁気ヘッドブロック３３は、前記シャフト部材３４と基台３５の一部とに着脱可能に保持される。シャフト部材３４は、ピックアップブロック３２と磁気ヘッドブロック３３とを一体的に予め定める方向に案内する。前記基台３５の一部は、ピックアップブロック３２の長手方向他端部３２ｂを前記予め定める方向に案内する。したがってピックアップブロック３２と磁気ヘッドブロック３３とは、記録媒体３１に対して相対的に変位可能となる。
【００２２】
ピックアップ手段であるピックアップブロック３２は、記録媒体３１に光を照射可能に構成される。本実施の形態では、ピックアップブロック３２は、たとえば光源と、対物レンズ３６などの各種の光学レンズを含む導光部と、記録媒体３１からの反射光を検出するための光検出部とを有する。光源、導光部および光検出部は、筐体３７に収容されて基台３５に保持され、それらの動作が回路パーツによって制御される。
【００２３】
ピックアップブロック３２は、光源からの光を導光部によって導いて対物レンズ３６で集光させて記録媒体３１に照射し、記録媒体３１で反射された光を光検出部で検出して、情報を記録または再生する。ピックアップブロック３２は、記録媒体３１に対して、予め定める軸線の方向である前記第１方向Ｘに相対的に変位可能に設けられる。前記予め定める軸線は、シャフト部材３４の軸線Ｌ３４である。
【００２４】
磁気ヘッドブロック３３は、ピックアップブロック３２と協働して情報を記録するための手段である。磁気ヘッドブロック３３は、ピックアップブロック３２が支持されるシャフト部材３４に支持される。磁気ヘッドブロック３３は、ピックアップブロック３２の前記軸線換言するとシャフト部材３４の軸線Ｌ３４まわりに角変位可能に設けられる。
【００２５】
図３は、ピックアップブロック３２と磁気ヘッドブロック３３とを示す分解斜視図である。ピックアップブロック３２の長手方向一端部３２ａには、ブロック支持部４１が設けられる。このブロック支持部４１には、第１方向Ｘに貫通する貫通孔４０が形成される。この貫通孔４０は、シャフト部材３４を挿通可能な円筒状に形成される。シャフト部材３４は貫通孔４０にルーズに挿通される。換言すれば、ブロック支持部４１つまりピックアップブロック３２は、第１方向Ｘに変位可能にシャフト部材３４に支持される。しかもピックアップブロック３２は、シャフト部材３４に対し、第１方向Ｘに垂直ないわゆるアキシアル方向にほとんどガタつくことなく支持される。アキシアル方向はスラスト方向と同義である。
【００２６】
前記ブロック支持部４１の第１方向両側の表面部分は、第１方向Ｘに垂直な一仮想平面に沿う平面に形成される。ピックアップブロック３２は、シャフト部材３４に支持される状態で、ピックアップブロック３２の少なくとも長手方向他端部３２ｂが基台３５の一部に第１方向Ｘに変位可能に支持される。本実施の形態では、ピックアップブロック３２の長手方向一端部３２ａのブロック支持部４１がシャフト部材３４に支持されるとともに、前記長手方向他端部３２ｂが基台３５に支持される構成になっているが、必ずしもこの構成に限定されるものではない。たとえばブロック支持部４１がシャフト部材３４に支持されるとともに、前記長手方向他端部３２ｂと長手方向方向中間部３２ｃとが基台３５に変位可能に支持される構成にする場合もある。この場合には、ピックアップブロック３２の１つあたりの支持部に負荷される荷重を軽減することができる。それ故、ピックアップブロック３２を一層スムースに第１方向Ｘに変位させることができる。このようにしてピックアップブロック３２が基台３５に対して第１方向Ｘに変位可能にしたがって記録媒体３１に対して第１方向Ｘに変位可能に設けられる。
【００２７】
磁気ヘッドブロック３３は、主に、ブロック本体５１と、磁気ヘッド５０とを有する。ブロック本体５１には、一対の支持部である挿通部４５，４６がこのブロック本体５１に一体に付設される。前記ブロック本体５１は、第１方向Ｘに見て略「コ」字形状でかつピックアップブロック３２の幅方向寸法と略同一寸法に形成される。前記略「コ」字形状は「コ」字形状を含み、前記略同一寸法は同一寸法を含む。
【００２８】
このブロック本体５１の「コ」字形状の一端部に、これら一対の挿通部４５，４６が付設される。第１方向Ｘおよび対物レンズ３６の厚み方向に垂直な方向を、第２方向Ｙと定義する。一対の挿通部４５，４６には、第１方向Ｘに貫通する透孔４５ａ，４６ａが形成される。これら挿通部４５，４６の透孔４５ａ，４５ｂは、同軸にかつシャフト部材３４を挿通可能な円筒状に形成される。しかも一対の挿通部４５，４６の透孔４５ａ，４６ａは、ピックアップブロック３２の貫通孔４０と同軸になるように配設される。挿通部４５の透孔４５ａにシャフト部材３４が挿通され、さらにブロック支持部４１の貫通孔４０に前記シャフト部材３４が挿通され、さらに挿通部４６の透孔４６ａにシャフト部材３４が挿通される。
【００２９】
シャフト部材３４は、これらに透孔４５ａ，４６ａにルーズに挿通される。換言すれば、挿通部４５，４６つまりブロック本体５１は、第１方向Ｘに変位可能にシャフト部材３４に支持される。しかもブロック本体５１は、シャフト部材３４に対し、第１方向Ｘに垂直ないわゆるアキシアル方向にほとんどガタつくことなく支持される。アキシアル方向はスラスト方向と同義である。
【００３０】
これら挿通部４５，４６は、それらの軸線方向換言すると第１方向Ｘに離隔して配設される。各挿通部４５，４６は、互いに対向する表面が第１方向Ｘに垂直な一仮想平面に沿う平面に形成される。各挿通部４５，４６は、磁気ヘッドブロック３３をピックアップブロック３２に対してシャフト部材３４の軸線Ｌ３４まわりに角変位可能に支持する。
【００３１】
詳細に述べるとこれら挿通部４５，４６は、それらの第１方向Ｘの間隔がブロック支持部４１の第１方向Ｘの寸法に比べてわずかに小さく形成される。これら挿通部４５，４６は、磁気ヘッドブロック３３がピックアップブロック３２に装着される状態でブロック支持部４１を第１方向両側から弾発的に押圧するように挟持する。これによって磁気ヘッドブロック３３のピックアップブロック３２に対する位置を、シャフト部材３４の軸線Ｌ３４まわりの角変位だけを許容した状態で規定することができる。
【００３２】
磁気ヘッドブロック３３は、ピックアップブロック３２に一対の挿通部４５，４６を介して着脱可能に構成される。具体的にはピックアップブロック３２の一端部３２ａの貫通孔４０と挿通部４５，４６の透孔４５ａ，４６ａとからシャフト部材３４を抜き取ることによって、磁気ヘッドブロック３３をピックアップブロック３２から容易に離脱することができる。さらに一端部３２ａの貫通孔４０と挿通部４５，４６の透孔４５ａ，４６ａとにシャフト部材３４を挿通することによって、磁気ヘッドブロック３３をピックアップブロック３２に容易に装着することができる。
【００３３】
この磁気ヘッドブロック３３のピックアップブロック３２への装着状態において、ピックアップブロック３２は、シャフト部材３４に対し、第１方向Ｘに垂直なアキシアル方向にほとんどガタつくことなく支持される。しかも前記装着状態において、ブロック本体５１つまり磁気ヘッドブロック３３は、シャフト部材３４に対し、第１方向Ｘに垂直なアキシアル方向にほとんどガタつくことなく支持される。このように磁気ヘッドブロック３３をピックアップブロック３２へ装着するだけで、正確なピックアップ動作を実現することが可能となる。
【００３４】
図４は、磁気ヘッドブロック３３を示す分解斜視図である。磁気ヘッドブロック３３は、ピックアップブロック３２と協働して情報を記録するためのものである。ブロック本体５１の「コ」字形状の他端部には、磁気ヘッド５０が設けられる。磁気ヘッド５０は、所定位置に保持される記録媒体３１に関してピックアップブロック３２と反対側に配置される。また磁気ヘッド５０は、第１方向Ｘに垂直でかつブロック本体５１から離反して延びるように設けられる。
【００３５】
磁気ヘッド５０は、磁界発生部５３ａと板ばね５３ｂとを有する。磁界発生部５３ａは、情報を記録するときに磁界を発生させるためのものであり、板ばね５３ｂは、この磁界発生部５３ａを保持する機能を有する。磁界発生部５３ａは、たとえば前述の回路パーツに電気的に接続され、動作が制御される。板ばね５３ｂは、第１方向Ｘに垂直でかつブロック本体５１から離反して延びるように設けられる。板ばね５３ｂの長手方向一端部はブロック本体５１に固定される。板ばね５３ｂの長手方向他端部は磁界発生部５３ａを押圧して保持する。
【００３６】
ブロック本体５１は、２つの突出部５４，５５と、連結部５６とを有する。これら突出部５４，５５と連結部５６とは一体に形成される。突出部５４の「コ」字形状の一端部のうち、第１方向Ｘ一端部に突出片５７が一体形成される。さらにこの突出片５７の先端に挿通部４５が一体形成される。また突出部５４の「コ」字形状の一端部のうち、第１方向Ｘ他端部に突出片５８が一体形成される。さらにこの突出片５８の先端に挿通部４６が一体形成される。これら挿通部４５および４６は、ピックアップブロック３２の一端部３２ａを第１方向Ｘ両側から挟むように設けられる。
【００３７】
ピックアップブロック３２と磁気ヘッドブロック３３とがシャフト部材３４によって連結される状態で、磁気ヘッドブロック３３の一対の挿通部４５，４６は、ピックアップブロック３２を第１方向Ｘ両側から挟持する状態で一端部３２ａに当接されている。これによって磁気ヘッドブロック３３のピックアップブロック３２に対する固定位置が、第１方向Ｘおよび前記アキシアル方向にずれることなく、磁気ヘッドブロック３３をピックアップブロック３２に装着することができる。したがって磁界発生部５３ａと対物レンズ３６との位置関係を一定に保持した状態で、ピックアップブロック３２および磁気ヘッドブロック３３を変位させることができる。
【００３８】
突出部５５には、磁気ヘッド５０の板ばね５３ｂの長手方向一端部がたとえば図示外のビスによって固定される。また突出部５５には、ヘッド支持部分６０が一体形成される。このヘッド支持部分６０は、ブロック本体５１から離反する方向に延びるように形成される。ヘッド支持部分６０の先端部には、磁気ヘッド受け部６０ａが一体形成されている。板ばね５３ｂの長手方向一端部が突出部５５に固着されるとともに、板ばね５３ｂの長手方向他端部が前記磁気ヘッド受け部６０ａに支持される。換言すれば、板ばね５３ｂの長手方向他端部に作用する押圧力でもって、磁気ヘッド５０は磁気ヘッド受け部６０ａに支持される。
【００３９】
磁気ヘッド５０はブロック本体５１に固定され、ブロック本体５１との位置関係が一定に保持されている。この状態でブロック本体５１がシャフト部材３４の軸線Ｌ３４まわりに角変位される。このとき磁気ヘッド５０とブロック本体５１とは、シャフト部材３４の軸線Ｌ３４まわりに一体に角変位される。これによって磁気ヘッド５０の板ばね５３ｂをたとえば操作部材などの手段によって変形させる必要が無い。さらに磁界発生部５３ａの記録媒体３１に対する位置を、板ばね５３ｂの変形によって変化させる場合に比べて高精度に変化させることができる。
【００４０】
磁気ヘッドブロック３３は、シャフト部材３４によってピックアップブロック３２と同一軸支されるので、部品点数を大幅に低減することができ、部品点数の低減によって、各部品交差による組立て精度の誤差を可及的に小さくし、磁界発生部５３ａを対物レンズ３６に対応する位置に配置することができる。換言すると磁界発生部５３ａと対物レンズ３６とは、互いに対向するように配置されることになり、記録媒体３１に対して情報を記録しようとする所望の位置に、磁界発生部５３ａと対物レンズ３６とを確実に配置することができる。さらに部品点数の低減によって、コストの低減を図ることができ、安価な記録再生装置３０を実現することができる。
【００４１】
図５は、情報を再生するときの記録再生装置３０を示す平面図である。図６は、情報を記録するときの記録再生装置３０を示す平面図である。前述のように構成される記録再生装置３０において、記録媒体３１に対して情報を再生または記録する場合、磁気ヘッドブロック３３は、図示外の駆動手段によって角変位駆動される。記録媒体３１から情報を再生する場合、磁気ヘッド５０の磁界発生部５３ａは、記録媒体３１から退避した再生位置７０に配置されている。再生位置７０は、記録再生装置３０が情報の記録および再生の両方の処理を行わない停止状態にあるとき、磁気ヘッドブロック３２が配置される位置でもある。再生位置７０では、たとえば基台３５が略水平に配置される場合、磁気ヘッドブロック３３の一方の突出部５４と連結部５６とが連結されて形成される角部７１が基台３５に当接されて支持される。これによって再生位置７０において、磁界発生部３５ａの記録媒体３１に対する位置が確実に保持される。
【００４２】
記録媒体３１に情報を記録する場合、磁気ヘッドブロック３３は、シャフト部材３４の軸線Ｌ３４まわりの角変位方向Ｒのうち記録媒体３１に近接する近接方向Ｒ１に角変位される。磁気ヘッドブロック３３が近接方向Ｒ１に角変位されると、磁気ヘッド５０の磁界発生部５３ａは、記録媒体３１に可及的に近接または当接した記録位置７２に配置され、この記録位置７２で記録媒体３１に情報が記録される。前述のように組立て精度の誤差が可及的に小さくなるように構成されるので、磁界発生部５３ａの対物レンズ３６に対する位置を高精度に設定することができ、記録媒体３１の所望の位置に情報を確実に記録することができる。また情報の記録が完了すると、磁気ヘッドブロック３３はたとえば近接方向Ｒ１と反対側の離反方向Ｒ２に角変位され、これによって磁界発生部５３ａが記録媒体３１から離反し再生位置７０に配置される。
【００４３】
本実施の形態によれば、ピックアップブロック３２は、記録媒体３１に対して予め定める軸線の方向に相対的に変位される。磁気ヘッドブロック３３は、ピックアップブロック３２に前記軸線まわりに角変位可能に設けられる。ピックアップブロック３２を前記軸線の方向に変位する構成にしたうえで、特に磁気ヘッドブロック３３を、ピックアップブロック３２に前記軸線まわりに角変位可能に設けたので、磁気ヘッドブロック３３とピックアップブロック３２との前記軸線の方向における位置関係を簡単にかつ一定に保持することが可能となるうえ、磁気ヘッドブロック３３自体を記録媒体３１に対して角変位可能に構成することができる。
【００４４】
したがって磁気ヘッドブロック３３を角変位させるための部品と、磁気ヘッドブロック３３をピックアップブロック３２に固定するための部品とを別途に設ける必要がなくなる。よって本実施の形態によれば、従来の記録再生装置よりも、装置全体の部品点数を低減することができる。
【００４５】
しかも従来のように磁気ヘッドブロック３３をピックアップブロック３２に固定するための複数の部品の製作上の部品公差を合算したうえで、磁気ヘッドブロック３３とピックアップブロック３２との位置合わせを行う必要がなくなる。換言すれば、複数の部品の製作上の部品公差に影響されることなく、磁気ヘッドブロック３３とピックアップブロック３２との位置合わせを行うことが可能となる。したがって部品点数の低減を図ることができるとともに、前記位置合わせを簡単化することができる。さらに部品点数の低減によって、装置全体の製作コストの低減を図ることができる。部品点数の低減を図ることができるので、装置全体の小形化を図ることも可能となる。
【００４６】
また本実施の形態によれば、前記磁気ヘッドブロック３３は、この磁気ヘッド５０をピックアップブロック３２に角変位可能に支持する一対の挿通部４５，４６を含む。これら挿通部４５，４６は軸線方向に離隔して配設される。特に挿通部４５，４６が軸線方向に離隔して配設されるので、ピックアップブロック３２に対して磁気ヘッドブロック３３をずれることなく配設することが可能となる。たとえば離隔される一対の挿通部４５，４６でもってピックアップブロック３２の一部を挟持するように、磁気ヘッドブロック３３をピックアップブロック３２に配設することが可能となる。
【００４７】
図７は、本発明の他の実施の形態である記録再生装置３０Ａを示す正面図である。図８は、記録再生装置３０Ａを示す平面図である。本実施の形態の記録再生装置３０Ａは前述の図１〜図６に示す実施の形態の記録再生装置３０と類似しており、同様の構成には同一の参照符号を付し説明を省略する。前述の図１〜図６に示す実施の形態の記録再生装置３０では、磁気ヘッドブロック３３はピックアップブロック３２に対して着脱可能であったが、他の実施の形態では、磁気ヘッドブロック３３をピックアップブロック３２から離脱することによって、記録再生装置３０Ａを情報の再生を専用に行う再生装置として用いることができる。金型代などのコストを低減するために、磁気ヘッドブロック３３を除く残余の部品を共用して用いる場合、図７および図８の斜線を付した領域であって磁気ヘッドブロック３３が占有していた領域８０をより有効に活用することができる。たとえば図７および図８の仮想線８１に示すハウジングの形状を変えて、記録再生装置３０Ａの小形化を実現することができる。
【００４８】
本実施の形態によれば、前記磁気ヘッド体は、ピックアップ手段に一対の支持部を介して着脱可能に構成される。これによって利便性の高い記録再生装置を実現することができる。たとえば磁気ヘッド体をピックアップ手段から離脱することによって、記録再生装置を情報の再生を専用に行うことのできる装置として用いることができる。このように記録再生装置の兼用性を高めることが可能となる。
【００４９】
前述の各実施の形態は、本発明の例示に過ぎず、発明の範囲内において構成を変更してもよい。たとえば前述の図１〜図６に示す実施の形態では、従来からの典型的な記録再生装置の各部品をできるだけ共通して利用するために磁界発生部５３ａを板ばね５３ｂで保持する構成になっていたが、これに限定されるものではなく板ばね５３ｂの代わりに、磁界発生部５３ａをヘッド支持部分６０に固定する構成にしてもよい。
【図面の簡単な説明】
【００５０】
【図１】本発明の実施の一形態である記録再生装置３０の一部を示す斜視図である。
【図２】記録再生装置３０の一部を記録媒体３１の厚み方向に見て示す平面図である。
【図３】ピックアップブロック３２と磁気ヘッドブロック３３とを示す分解斜視図である。
【図４】磁気ヘッドブロック３３を示す分解斜視図である。
【図５】情報を再生するときの記録再生装置３０を示す平面図である。
【図６】情報を記録するときの記録再生装置３０を示す平面図である。
【図７】本発明の他の実施の形態である記録再生装置３０Ａを示す正面図である。
【図８】記録再生装置３０Ａを示す平面図である。
【図９】従来の記録再生装置１を示す斜視図である。
【図１０】光ピックアップ手段２と磁気ヘッド体３とを示す分解斜視図である。
【図１１】磁気ヘッド体３を示す分解斜視図である。
【図１２】記録媒体８が装着された記録再生装置１を、第１方向Ａに見た図である。
【図１３】情報を再生するときの記録再生装置１を第１方向Ａに見た図である。
【図１４】情報を記録するときの記録再生装置１を第１方向Ａに見た図である。
【符号の説明】
【００５１】
３０，３０Ａ  記録再生装置
３１  記録媒体
３２  ピックアップブロック
３３  磁気ヘッドブロック
３４  シャフト部材
４５，４６  挿通部
【図１】
2005056530.tif 000003
【図２】
2005056530.tif 000004
【図３】
2005056530.tif 000005
【図４】
2005056530.tif 000006
【図５】
2005056530.tif 000007
【図６】
2005056530.tif 000008
【図７】
2005056530.tif 000009
【図８】
2005056530.tif 000010
【図９】
2005056530.tif 000011
【図１０】
2005056530.tif 000012
【図１１】
2005056530.tif 000013
【図１２】
2005056530.tif 000014
【図１３】
2005056530.tif 000015
【図１４】
2005056530.tif 000016